(57)【要約】  引出しガイド（４）であって、- 第１のガイドレール（１１）および少なくとも１つの第２のガイドレール（１０）であって、互いに相対的にガイドレール（１０，１１）の長手方向（Ｌ）において閉鎖位置と開放位置との間において移動可能に支持されている、第１のガイドレール（１１）および少なくとも１つの第２のガイドレール（１０）と、- ガイドレール（１０，１１）の間において支持された少なくとも１つのガイド体（２３ａ）であって、ガイドレール（１０，１１）を引出しガイド（４）の取付け位置において側方向において互いに相対的に案内可能であり、ガイドレール（１０，１１）のうちの少なくとも１つのガイドレールが、少なくとも１つの突出部（２４ａ）を有しており、該突出部（２４ａ）は、ガイドレール（１０，１１）の開放位置において少なくとも１つのガイド体（２３ａ）に接触しており、これによって少なくとも、少なくとも１つのガイド体（２３ａ）と少なくとも１つの突出部（２４ａ）とが互いに接触している領域において、ガイドレール（１０，１１）は、側方向において互いに遊びなしに配置されている、引出しガイド（４）。
2021506498.tif 000002
【特許請求の範囲】
【請求項１】
引出しガイド（４）であって、
- 第１のガイドレール（１１）および少なくとも１つの第２のガイドレール（１０）であって、互いに相対的に前記ガイドレール（１０，１１）の長手方向（Ｌ）に沿って閉鎖位置と開放位置との間において移動可能に支持されている、第１のガイドレール（１１）および少なくとも１つの第２のガイドレール（１０）と、
- 前記ガイドレール（１０，１１）の間において支持された少なくとも１つのガイド体（２３ａ）であって、当該引出しガイド（４）の取付け位置において前記ガイドレール（１０，１１）を側方向において互いに相対的に案内可能である、ガイド体（２３ａ）と、
を含んでいる、引出しガイド（４）において、
前記ガイドレール（１０，１１）のうちの少なくとも１つのガイドレールが、少なくとも１つの突出部（２４ａ）を有しており、該突出部（２４ａ）は、前記ガイドレール（１０，１１）の前記開放位置において前記少なくとも１つのガイド体（２３ａ）に接触しており、これによって少なくとも、前記少なくとも１つのガイド体（２３ａ）と前記少なくとも１つの突出部（２４ａ）とが互いに接触している領域において、前記ガイドレール（１０，１１）は、側方向において互いに遊びなしに配置されている
ことを特徴とする、引出しガイド（４）。
【請求項２】
前記少なくとも１つのガイド体（２３ａ）は、前記ガイドレール（１０，１１）のうちの１つのガイドレールにおいて、または前記ガイドレール（１０，１１）の間に配置された走行キャリッジ（２５ａ，２５ｂ，２５ｃ）において支持されている、
請求項１記載の引出しガイド。
【請求項３】
前記少なくとも１つのガイド体（２３ａ）は、回転対称に形成されていて、かつ取付け位置において鉛直に延びている軸（３０）を中心にして回転可能に支持されている、
請求項１または２記載の引出しガイド。
【請求項４】
前記少なくとも１つの突出部（２４ａ）は、エンボス加工部の形態で前記ガイドレール（１０，１１）のうちの１つのガイドレールに形成されている、
請求項１から３までのいずれか１項記載の引出しガイド。
【請求項５】
前記少なくとも１つのガイド体（２３ａ）は、前記ガイドレール（１０，１１）の前記長手方向（Ｌ）に関して、前記ガイドレール（１０，１１）の後側半部に支持されている、
請求項１から４までのいずれか１項記載の引出しガイド。
【請求項６】
前記ガイドレール（１０，１１）の間に、少なくとも２つのガイド体（２３ａ，２３ｂ）が支持されており、該少なくとも２つのガイド体（２３ａ，２３ｂ）は、前記ガイドレール（１０，１１）の前記長手方向（Ｌ）において互いに間隔をおいて配置されており、前記ガイドレール（１０，１１）の前記開放位置において、第１のガイド体（２３ａ）は、前記ガイドレール（１０，１１）の第１の突出部（２４ａ）に遊びなしに接触しており、かつ第２のガイド体（２３ｂ）は、前記ガイドレール（１０，１１）の第２の突出部（２４ｂ）に遊びなしに接触している、
請求項１から５までのいずれか１項記載の引出しガイド。
【請求項７】
前記第１の突出部（２４ａ）と少なくとも１つの前記第２の突出部（２４ｂ）とは、互いに異なった高さを有している、
請求項６記載の引出しガイド。
【請求項８】
前記第１のガイド体（２３ａ）は、前記閉鎖位置を起点とした前記開放位置への前記ガイドレール（１０，１１）の運動時に、好ましくは間隙を維持しながら、前記第２の突出部（２４ｂ）のところを通過可能であり、かつ前記第１のガイド体（２３ａ）は、前記開放位置の方向（２７）における前記ガイドレール（１０，１１）の継続された運動時に、前記第１の突出部（２４ａ）と遊びなしに係合可能である、
請求項６または７記載の引出しガイド。
【請求項９】
少なくとも２つの前記ガイドレール（１０，１１）は、前記開放位置において１つの領域において互いにオーバラップし、前記第１のガイド体（２３ａ）と前記第２のガイド体（２３ｂ）とは前記領域の内側に位置している、
請求項６から８までのいずれか１項記載の引出しガイド。
【請求項１０】
当該引出しガイド（４）は、互いに相対的に移動可能に支持された少なくとも３つのガイドレール（９，１０，１１）を有しており、第３のガイドレール（９）は家具本体（２）に、かつ前記第２のガイドレール（１０）は引出し（３）に固定すべきものであり、前記第１のガイドレール（１１）は、前記第３のガイドレール（９）と前記第２のガイドレール（１０）との間において移動可能に支持されている、
請求項１から９までのいずれか１項記載の引出しガイド。
【請求項１１】
少なくとも１つのガイド体（２３ａ，２３ｂ，２３ｃ，２３ｄ）が、前記第３のガイドレール（９）と前記第１のガイドレール（１１）との間において、かつ少なくとも１つの別のガイド体（２３ａ，２３ｂ，２３ｃ，２３ｄ）が、前記第１のガイドレール（１１）と前記第２のガイドレール（１０）との間において支持されている、
請求項１０記載の引出しガイド。
【請求項１２】
家具本体（２）と少なくとも１つの引出し（３）とを備えた家具（１）であって、前記引出し（３）は、請求項１から１１までのいずれか１項記載の少なくとも１つの引出しガイド（４）を介して、前記家具本体（２）に対して相対的に走行可能に支持されている、家具（１）。
【発明の詳細な説明】
【技術分野】
【０００１】
本発明は、（以下単に「引出しガイド」という。）であって、
- 第１のガイドレールおよび少なくとも１つの第２のガイドレールであって、互いに相対的にガイドレールの長手方向において閉鎖位置と開放位置との間において移動可能に支持されている、第１のガイドレールおよび少なくとも１つの第２のガイドレールと、
- ガイドレールの間において支持された少なくとも１つのガイド体であって、ガイドレールを引出しガイドの取付け位置において側方向（ガイドレールの長手方向に対して横方向）において互いに相対的に案内可能である、ガイド体と、
を含んでいる、引出しガイドに関する。
【０００２】
引出しガイドでは、側方安定性が重要な品質基準であり、このとき側方安定性は、通常、特殊に成形されたガイドレールによって、かつ／またはガイドレールの側方案内のための走行ローラによって改善することができる。しかしながら引出しガイドの側方安定性は、引出しが家具本体に対して大きく引き出されれば引き出されるほど、著しく僅かになる。引出しガイドの完全に引き出された状態において、引き出されたガイドレールに力が加えられると、ガイドレールの間における側方遊び、またはガイドレールの長手方向に延びる軸線を中心にしたガイドレールの傾倒を増加させる、てこの作用が生じる。引き出された引出しのこのような側方遊びは、引出しの構造幅が増すに連れて、さらに追加的に大きくなる。そして引出しガイドの過度の側方遊びは、どちらかというと低価値の印象を人に与える。
【０００３】
容器の側方安定性を改善するための処置は、例えば欧州特許出願公開第１３２１０９４号明細書、欧州特許出願公開第１３２３３７２号明細書、米国特許第４３１５６６１号明細書、および米国特許第４１１９３７７号明細書に開示されている。
【０００４】
本発明の課題は、冒頭に述べた形式の引出しガイドを改良して、上において議論された欠点を排除することができる、引出しガイドを提供することである。
【０００５】
この課題は、本発明によれば請求項１記載の特徴によって解決される。本発明のさらなる好適な構成は、従属請求項において定義されている。
【０００６】
本発明によれば、ガイドレールのうちの少なくとも１つのガイドレールが、少なくとも１つの突出部を有しており、該突出部は、ガイドレールの開放位置において少なくとも１つのガイド体に接触しており、これによって少なくとも、少なくとも１つのガイド体と少なくとも１つの突出部とが互いに接触している領域において、ガイドレールは、側方向において互いに遊びなしに配置されていることが提案されている。
【０００７】
言い換えれば、引出しガイドの完全に引き出された位置において、ガイドレールの間において支持されている少なくとも１つのガイド体が、ガイドレールの突出部に接触しており、これによって少なくともこの領域において、ガイドレールの間における側方遊びが、突出部におけるガイド体の遊びのない接触によって回避されている。
【０００８】
少なくとも１つのガイド体は、ガイドレールのうちの１つのガイドレールに、または択一的にガイドレールの間に配置された走行キャリッジに支持されていてよい。しかしながらまた２つまたはそれ以上のガイド体が設けられてよく、このとき少なくとも１つの第１のガイド体は、ガイドレールのうちの１つのガイドレールに、かつ少なくとも１つの第２のガイド体は、ガイドレールの間に移動可能に支持された走行キャリッジに支持されており、このとき第１のガイド体および第２のガイド体は、引出しガイドの引き出された状態において、それぞれ１つのガイドレールの突出部に側方において支持されている。
【０００９】
好ましくは、少なくとも１つのガイド体は、回転対称に形成されていて、かつ取付け位置において鉛直に延びている軸を中心にして回転可能に支持されていることが提案されている。基本的にガイド体は、回転不能な支持部分として形成されていてもよく、この支持部分は、引出しガイドの完全に引き出された状態において１つのガイドレールの突出部に遊びなしに支持可能である。
【００１０】
構造的に単純な構成では、少なくとも１つの突出部は、エンボス加工部の形態でガイドレールのうちの１つのガイドレールに形成されていてよく、このとき突出部は、１つのガイドレールの平らな表面における、エンボス加工工具による押込みによって、ガイドレールに一体に形成された部材として製造可能である。択一的に、突出部を１つのガイドレールに（例えばねじ結合または接着によって）固定することが可能である。
【００１１】
本発明の１実施例によれば、ガイドレールの間に、少なくとも２つまたはそれ以上のガイド体が支持されており、該ガイド体は、ガイドレールの長手方向において互いに間隔をおいて配置されており、このときガイドレールの開放位置において第１のガイド体は、ガイドレールの第１の突出部に遊びなしに接触しており、かつ少なくとも１つの第２のガイド体は、ガイドレールの第２の突出部に遊びなしに接触していることが提案されていてよい。長手方向において互いに間隔をおいて配置された少なくとも２つのガイド体であって、引出しガイドの開放位置においてガイドレールの、互いに間隔をおいて配置された２つの突出部に接触しているガイド体によって、ガイドレールの長手方向に延びている方向に沿って側方遊びを、著しく減じることができる。
【００１２】
１実施例によれば、第１のガイド体は、閉鎖位置を起点とした開放位置へのガイドレールの運動時に、好ましくは間隙を維持しながら、第２の突出部のところを通過可能であり、かつ第１のガイド体は、開放位置の方向におけるガイドレールの継続された運動時に、第１の突出部とクランプするように係合可能である。
【００１３】
このように構成されていると、引出しガイドの発生する摩擦は、安定化にもかかわらず高まることがない。なぜならば、第１のガイド体は引出しガイドの開放時にまずは接触なしに第２の突出部のところを通過し、かつ引出しガイドの完全な開放位置において初めて、第１の突出部と遊びなしに係合しているからである。この機能を可能にするために、第１の突出部と第２の突出部とは互いに異なった高さを有していてよい。択一的に、第１の突出部と第２の突出部とが同一の高さを有していることが可能であり、このとき第２の突出部のところにおける第１のガイド体の通過運動は、ガイド体の異なった厚さによって、またはガイド体の異なった直径によって可能になる。別の択一的な構成では、第１の突出部と第２の突出部とは同一の高さを有していて、かつ第１のガイド体と第２のガイド体とは同一の厚さもしくは同一の直径を有していてよく、このとき第１のガイド体と第２のガイド体とは、ガイドレールの長手方向に対して横方向に延びている方向において、互いに側方にずらされて配置されている。
【００１４】
本発明のさらなる詳細および利点については、以下における図面の説明を用いて説明する。
【図面の簡単な説明】
【００１５】
【図１】家具本体と家具本体に対して相対的に走行可能に支持された引出しとを備えた家具を示す斜視図である。
【図２】引出し側壁に結合すべき第２のガイドレールを備えた引出しガイドを示す図である。
【図３ａ】引出しガイドを示す分解図である。
【図３ｂ】図３ａに示された領域Ｂを拡大して示す図である。
【図３ｃ】図３ａに示された領域Ａを拡大して示す図である。
【図４ａ】引出しガイドを横になっている位置において示す図である。
【図４ｂ】図４ａに示された領域Ａを拡大して示す図である。
【図４ｃ】図４ａに示された領域Ｂを拡大して示す図である。
【００１６】
図１には、棚形状の家具本体２を備えた家具１が示されており、このとき引出し３は、引出しガイド４を介して家具本体２に対して相対的に走行可能に支持されている。引出し３は、それぞれ前板５、引出し底部６、引出し側壁７、および背壁８を有している。引出しガイド４は、それぞれ、固定部分１２ａ，１２ｂを介して家具本体２に固定すべき第３のガイドレール９（本体レール）、第３のガイドレール９に対して相対的に移動可能に支持されていて、引出し側壁７に結合されているかまたは結合すべき第２のガイドレール１０（引出しレール）、および引出し３の完全引出しを実現するために第３のガイドレール９と第２のガイドレール１０との間において走行可能に支持されている第１のガイドレール１１（中間レール）を含んでいる。
【００１７】
図２には、引出しガイド４と引出し側壁７とを備えたアセンブリが斜視図で示されている。第３のガイドレール９に結合された固定部分１２ａ，１２ｂは、家具本体２における固定のために、１つまたは複数の固定箇所１３，１４を有している。第３のガイドレール９と第２のガイドレール１０との間には、走行可能な第１のガイドレール１１が配置されている。第２のガイドレール１０には連結要素２１が配置されており、この連結要素２１は、引込み装置１８の連行体２０に解離可能に連結可能であり、これによって第２のガイドレール１０は、閉鎖運動の終わり近くで連行体２０によって捕捉され、かつ引込み装置１８の蓄力器によって閉鎖された終端位置に引込み可能である。好ましくは液圧式のピストンシリンダユニットを備えた緩衝装置１９によって、第２のガイドレール１０の、ばねによって促進若しくは付勢されたこの引込み運動は、閉鎖された終端位置に至るまで制動可能である。
【００１８】
引出し側壁７は、内側の形材壁７ａと、内側の形材壁から間隔をおいて配置された外側の形材壁７ｂとを備えた中空形材として形成されており、このとき引出し側壁７は、下方に向かって開放していてかつ引出し側壁７の長手方向において延びている通路１７を形成しており、この通路１７内には、引出しガイド４の第２のガイドレール１０が配置可能である。引出し側壁７はさらに、背壁８に結合するための第１の固定装置１５ａ、前板５に結合するための第２の固定装置１５ｂ、および引出し底部６を支持するための載置部分１６を有している。
【００１９】
図３ａには、引出しガイド４が分解図で示されている。第３のガイドレール９は、固定部分１２ａ，１２ｂを介して家具本体２に固定することができ、かつほぼＵ字形またはＣ字形の部分を有しており、この部分には、引出しガイド４の運動を制御するための第１の走行キャリッジ２５ａおよび第２の走行キャリッジ２５ｂが支持されている。第２のガイドレール１０は、後端部にフック２２を有しており、このフック２２は、取付け位置において背壁８の孔内に収容されていて、かつこのとき長手方向（Ｌ）および長手方向（Ｌ）に対して横方向に延びる方向における、引出し３の移動を阻止する。第３のガイドレール９と第２のガイドレール１０との間には、移動可能な第１のガイドレール１１が設けられており、このとき第１のガイドレール１１と第２のガイドレール１０との間において、第３の走行キャリッジ２５ｃが走行可能であり、この第３の走行キャリッジ２５ｃは、第１の走行キャリッジ２５ａに、例えば第１のガイドレール１１に回転可能に支持された歯車を介して、運動連結されている。走行キャリッジ２５ａ，２５ｂ，２５ｃはそれぞれ、長手方向（Ｌ）において互いに間隔をおいて配置されていて水平の回転軸線を備えた複数の転動体２６を有している。
【００２０】
図示の実施例では第２のガイドレール１０は、少なくとも１つのガイド体２３ａを有しており、このガイド体２３ａは、ガイドレール１０の長手方向（Ｌ）に関して、ガイドレール１０の後側半部に支持されている。少なくとも１つのガイド体２３ａは、回転対称に形成されていて、かつ取付け位置において鉛直に延びる軸３０を中心にして回転可能に支持されている。第１のガイドレール１１は、好ましくは鉛直に延びているサイドウェブ１１ａを有しており、このサイドウェブ１１ａには少なくとも１つの突出部２４ａ（例えばエンボス加工部の形態の）が配置されている。開放位置の方向２７への第２のガイドレール１０の運動時に、少なくとも１つのガイド体２３ａは突出部２４ａに達し、かつ開放位置においては遊びなしに第１の突出部２４ａに接触している。このようにしてガイドレール１０，１１は、少なくとも、少なくとも１つのガイド体２３ａと少なくとも１つの突出部２４ａとが互いに接触している領域において、長手方向（Ｌ）に対して横方向の側方向において、互いに遊びなしに固定されている。示された図では、第２のガイドレール１０に、長手方向（Ｌ）において互いに間隔をおいて配置された、ローラの形態の２つのガイド体２３ａ，２３ｂが設けられており、両ガイド体２３ａ，２３ｂは、取付け位置においてそれぞれ、鉛直に延びる軸線を中心にして回転可能に支持されている。引出しガイド４の完全な開放位置において第１のガイド体２３ａは第１の突出部２４ａに、かつ第２のガイド体２３ｂは第２の突出部２４ｂに遊びなしに接触しており、これによってガイドレール１０，１１の間の側方遊びは、ガイドレールの長手方向（Ｌ）に延びる方向に沿って低減されることになる。
【００２１】
突出部２４ａ，２４ｂは、第１のガイドレール１１のサイドウェブ１１ａから側方向に突出していて、かつガイドレール９，１０，１１の長手方向（Ｌ）において互いに間隔をおいて、例えば第１のガイドレール１１の前側半部に配置されている。突出部２４ａ，２４ｂはそれぞれ、長手方向（Ｌ）において互いに間隔をおいて配置された２つの斜面３１ａ，３１ｂ（図４ｂ、図４ｃ）を含んでおり、これによって第２のガイドレール１０のガイド体２３ａ，２３ｂは、不都合な当接縁部なしに突出部２４ａ，２４ｂに乗り上げ、かつ突出部２４ａ，２４ｂから再び下降することができる。
【００２２】
１実施例によれば、第１の突出部２４ａは、第２の突出部２４ｂよりも大きな高さを有していてよい。このように構成されていると、第１のガイド体２３ａは、閉鎖位置を起点とした第２のガイドレール１０の運動時に、好ましくは間隙を維持しながら、比較的低く形成された第２の突出部２４ｂのところを妨げられずに通過することができ、次いで第１のガイド体２３ａは開放位置において、第１の突出部２４ａと遊びなしに係合することができ、かつ第２のガイド体２３ｂも第２のガイドレール１０の開放位置において、（例えば第２のガイド体２３ｂの大きな直径に基づいて、かつ／または第２のガイド体２３ｂの、第１のガイド体２３ａに対して相対的に長手方向（Ｌ）に対して横方向にずらされた配置形態によって）第２の突出部２４ｂに遊びなしに接触する。
【００２３】
さらに第１のガイドレール１１には、第３の突出部２４ｃおよび第４の突出部２４ｄが設けられており、両突出部２４ｃ，２４ｄは、長手方向（Ｌ）に沿って互いに間隔をおいて、かつ長手方向（Ｌ）において第１および第２の突出部２４ａ，２４ｂに対してずらされて配置されている。この第３および第４の突出部２４ｃ，２４ｄは、それぞれ、引出しガイド４の完全な開放位置において、走行キャリッジ２５ａ，２５ｂに支持されたガイド体２３ｃ，２３ｄと遊びなしに接触し、ひいては第３のガイドレール９と第１のガイドレール１１との間の側方遊びを減じるように設けられている。
【００２４】
図３ｂには、図３ａにおいて丸で囲まれた領域「Ｂ」が拡大されて示されている。走行キャリッジ２５ａに支持されたガイド体２３ｃは、取付け位置において鉛直に延びる軸３０を中心にして回転可能に支持されていて、かつ引出しガイド４の完全な開放位置において、第１のガイドレール１１の第３の突出部２４ｃに遊びなしに接触している。走行キャリッジ２５ａは、第１のガイドレール１１のサイドウェブ１１ａを収容するためのスリット２９を有している。
【００２５】
図３ｃには、図３ａにおいて丸で囲まれた領域「Ａ」が拡大されて示されている。走行キャリッジ２５ｂに支持されたガイド体２３ｄは、同様に、取付け位置において鉛直に延びる軸３０を中心にして回転可能に支持されていて、かつ引出しガイド４の完全な開放位置において、第１のガイドレール１１の第４の突出部２４ｄに遊びなしに接触している。
【００２６】
図４ａには、引出しガイド４が横になっている位置において示されており、このとき引出しガイド４は、完全な開放位置にあり、かつ第１および第２のガイド体２３ａ，２３ｂはそれぞれ、該第１および第２のガイド体２３ａ，２３ｂに対応配置された突出部２４ａ，２４ｂに遊びなしに接触しており、これによって第１のガイドレール１１と第２のガイドレール１０との間における側方遊びは回避されている。開放位置において第３のガイドレール９と第２のガイドレール１０とは１つの領域において互いにオーバラップしており、このとき第１のガイド体２３ａおよび第２のガイド体２３ｂは、この領域の内側に位置している。
【００２７】
図４ｂには、図４ａにおいて丸で囲まれた領域「Ａ」が拡大されて示されている。第１のガイド体２３ａは、第２のガイドレール１０の開放位置において第１の突出部２４ａに遊びなしに接触している。突出部２４ａは、少なくとも１つの斜面３１ａ，３１ｂを有しており、この斜面３１ａ，３１ｂは、突出部２４ａへのガイド体２３ａの乗上げ、もしく突出部２４ａからのガイド体２３ａの下降を円滑にする。図４ｃには、図４ａにおいて丸で囲まれた領域「Ｂ」が拡大されて示されており、このとき第２のガイド体２３ｂは、引出しガイド４の開放位置において第２の突出部２４ｂに遊びなしに接触している。
【００２８】
つまり引出しガイド４は、図面において示されているように、互いに相対的に移動可能に支持された少なくとも３つのガイドレール９，１０，１１を有していてよく、このとき第３のガイドレール９は家具本体２に、かつ第２のガイドレール１０は引出し３に固定すべきものであり、このとき第１のガイドレール１１は、第３のガイドレール９と第２のガイドレール１０との間において移動可能に支持されている。このとき少なくとも１つのガイド体２３ａ，２３ｂ，２３ｃ，２３ｄは、第３のガイドレール９と第１のガイドレール１１との間において、かつ少なくとも１つの別のガイド体２３ａ，２３ｂ，２３ｃ，２３ｄは、第１のガイドレール１１と第２のガイドレール１０との間において支持されていてよい。
【図１】
2021506498.tif 000003
【図２】
2021506498.tif 000004
【図３ａ】
2021506498.tif 000005
【図３ｂ】
2021506498.tif 000006
【図３ｃ】
2021506498.tif 000007
【図４ａ】
2021506498.tif 000008
【図４ｂ】
2021506498.tif 000009
【図４ｃ】
2021506498.tif 000010
【国際調査報告】
2021506498.tif 000011
2021506498.tif 000012
2021506498.tif 000013
2021506498.tif 000014
2021506498.tif 000015